(57)【特許請求の範囲】
【請求項１】
温風によって浴室の暖房及び浴室や衣類の乾燥を行なう装置であって、浴槽の裏面空間、及び、浴槽の上横壁面あるいは浴槽リム上面に、温風の吹出口を備え、浴槽の裏面空間に温風を吹出す場合には、浴槽の上横壁面あるいは浴槽リム上面の吹出口を吸込口として利用し、浴槽の上横壁面あるいは浴槽リム上面に温風を吹出す場合には、浴槽の裏面空間の吹出口を吸込口として利用することを特徴とする浴室暖房・乾燥装置。
【請求項２】
運転開始後適宜時間は、浴槽の裏面空間の空気を排出することを特徴とする請求項１に記載の浴室暖房・乾燥装置。
【請求項３】
ダクトの少なくとも一部を、温風供給用と換気用に、適宜切り替えて利用することを特徴とする請求項１又は２に記載の浴室暖房・乾燥装置。
【請求項４】
温風発生装置に換気機能を持たせたことを特徴とする請求項１乃至３の何れか１項に記載の浴室暖房・乾燥装置。
【発明の詳細な説明】
【０００１】
【発明の属する技術分野】
本発明は、温風による浴室の暖房、及び、浴室や衣類の乾燥を行う、浴室乾燥・暖房装置に関するものである。
【０００２】
【従来の技術】
従来、温風により浴室を暖房したり、浴室乾燥や浴室内で衣類乾燥をする手段としては、電気ヒーター又は温水ヒーターを熱源とする温風発生装置を、浴室の天井や壁面又はカウンターや浴槽部分に埋め込んだり、これらの表面に取付け、送風機により、浴室内に温風を直接吹き込むのが一般的である。
なお、浴室に設置された浴槽の裏面空間に温風を吹き込むものとして、実開昭４８ー３７９３９号の組立式浴室兼乾燥室が、また、浴槽設置部の乾燥装置として、特開平２ー１２８７２１号の浴室装置がある。
実開昭４８ー３７９３９号の組立式浴室兼乾燥室は、浴室の側壁を貫通して乾燥用熱風の送給口を設けるとともに、浴室天井に乾燥後排気の排気口を設けるもので、添付図によると、その送給口を、浴槽の裏面空間に面するように設けている。
また、特開平２ー１２８７２１号の浴室装置では、浴槽載置部空間に強制対流を形成するファン装置を設けるか、浴槽載置部に電熱部を設けることにより、浴槽載置部を乾燥状態に保とうとしている。
【０００３】
【発明が解決しようとする課題】
しかし、前記従来の技術では、次のような問題がある。
まず、温風発生装置を天井や高い位置の壁面に取り付けたものでは、暖かい空気は軽いため、暖房や浴室乾燥の効率が悪い。また、空気を十分に撹拌できるほど風速を増すと、濡れた裸の肌にかなりの風を当てることになるため、蒸発熱が奪われて、寒いか、寒くないまでも風が強すぎて快適とは言いがたい、また、騒音が大きいなどの問題も発生する。
次に、低い位置の壁面、あるいはカウンターや浴槽部分に取り付けたものでは、人に触れ易い所に高温の温風が吹き出したり、温風吹出部分が高温になったりで、熱い思いをしたり、火傷の恐れさえある。また、温度むらや風の当たり具合のむらも大きく、やはり快適とは言いがたい。
いずれの場合も、最もじめじめし勝ちで、このために細菌・かび・その他の微生物などの繁殖と、これに伴う悪臭や異臭の原因となる、浴槽裏面部、すなわち、浴槽の裏面とこれに隣接する床パンの浴槽載置部や壁パネルなど、を乾燥することはできない。
なお、実開昭４８ー３７９３９号の組立式浴室兼乾燥室で、送給口を浴槽の裏面空間に面するように設けると、浴槽裏面部の乾燥は可能であるが、浴室内とりわけ浴槽の上に吊るした洗濯物には、温風が直接当たらないため、衣類乾燥の効率が悪い欠点がある。又、温風装置とは別に、乾燥後排気の排気口を浴室天井に設けるので、コストの高騰をも招く。
また、特開平２ー１２８７２１号の浴室装置では、強制対流又は浴槽載置部に設けた電熱部による加熱により浴槽載置部まわり、すなわち浴槽裏面部を乾燥させようとするものであるが、前者では強制対流のみであり、後者の床パンに設けた電熱部では、一般的に加熱能力が不足し、何れも、浴槽裏面部の十分な乾燥ができないばかりか、暖房や衣類の乾燥に適さないのは明らかである。
【０００４】
本発明は、このような前記従来技術の課題を解決するためのものであって、浴室の暖房及び浴室や衣類の乾燥の効率が良く、使用時に安全かつ快適で、なおかつ、浴槽裏面部の乾燥までできる、浴室暖房・乾燥装置を、安価に提供することを目的とする。
【０００５】
【課題を解決するための手段およびその作用・効果】
上記課題を解決するために、本発明の、温風によって浴室の暖房及び浴室や衣類の乾燥を行なう装置では、浴槽の裏面空間、及び、浴槽の上横壁面あるいは浴槽リム上面に、温風の吹出口を備え、浴槽の裏面空間に温風を吹出す場合には、浴槽の上横壁面あるいは浴槽リム上面の吹出口を吸込口として利用し、浴槽の上横壁面あるいは浴槽リム上面に温風を吹出す場合には、浴槽の裏面空間の吹出口を吸込口として利用するようにした。
【０００６】
まず、浴室暖房や浴室乾燥時には、浴槽の裏面空間に直接温風を吹き込むことにより、最もじめじめし勝ちな浴槽裏面部、すなわち、浴槽の裏面とこれに隣接する床パンの浴槽載置部や壁パネルなど、及び、浴槽裏面部に連なる排水溝やグレーチング（排水溝蓋）などを乾燥させて、細菌・かび・その他の微生物などの繁殖や、これに伴う悪臭や異臭を防止できるようにした。
【０００７】
次に、同じく浴槽の裏面空間に直接温風を吹き込むようにしたから、浴槽裏面空間から、浴槽のエプロン周囲（横・下）や、グレーチング（排水溝蓋）などを通して、低い位置から浴室内（洗い場）に温風が吹き出すので、暖房や浴室乾燥の効率が良く、また、同様の場所、つまり広い範囲から、間接的に浴室内（洗い場）に温風が吹き出すので、身体に触れ易い部分が火傷をするほど高温になることはなく、かつ、高温や大風速の温風が直接身体に当たることもなく、温度むらや風の当たり具合のむらも小さくできるため、安全かつ快適に使用できる。
【０００８】
又、衣類乾燥時には、切替装置によって、浴槽の上横壁面、あるいは浴槽リム上面から温風を吹き出すようにしたから、温風が洗濯物に直接吹き付けるられるので、衣類乾燥の効率を向上させることができる。
【０００９】
更に、吹出吸込口やダクトを、温風供給用と排気用に兼用したり、温風発生装置に換気機能を持たせるなどの、部材の兼用化、多機能化によって、省スペース、省施工、コスト低減を図っている。
【００１０】
【発明の実施の形態】
以上説明した本発明の構成・作用を一層明らかにするために、以下本発明の好適な実施例について説明する。
第１図は本発明の請求項１に係る主要部縦断面図である。
１は浴室ユニット、２は建築外壁、３はボックス、４は温風装置である。
【００１１】
浴室ユニット１は、床パン１１の上に壁パネル１２、ドア枠（図示せず）を組立て、その上に天井（図示せず）を載せ、浴槽１３などの必要な機器を設置したものである。
浴室ユニットに隣接する建築外壁２は、在来木造建築では、布基礎２１の上に横に寝かせた土台２２、土台上に垂直に立てる柱、さらに梁・桁・胴差し（何れも図示せず）、など、つまり軸組材の外側に、胴縁などの壁下地材（図示せず）を介して外壁仕上げ材２３を取付けて仕上げる。なお、ツーバイフォー工法などのパネル工法では、土台の上、又はその上に設置した床パネルの上に壁パネルを組立て、表面に外壁仕上げ材を取付けて仕上げる。
ボックス３は、給湯機及び／又はその他の浴室用機能部品を内蔵しており、このボックスを建築外壁２に埋め込むようになっている。
【００１２】
温風装置４は、温風発生装置（図示せず）、送風機４２、ダクト４３、切替ダンパー４４、吹出口４５などからなる。送風機４２から出た温風を、切替ダンパー４４により二つに分け、一方は、浴槽１３の裏面空間に面する壁パネル１２に取付けられた下側吹出口４５１に導くとともに、他方は、浴槽１３の上横壁面に設けた上側吹出口４５２に導いており、浴室暖房や浴室乾燥時には下側吹出口４５１から浴槽裏面空間に温風を吹き込み、衣類乾燥時には、上側吹出口４５２から、直接洗濯物に温風を吹き付ける。
【００１３】
なお、本実施例では、浴室ユニット１としているが、在来工法の浴室であっても良いし、ボックス３も設けなくても良い。また、温風発生装置を浴室外に置き、温風をダクトによって浴槽裏面空間に導いているが、浴槽裏面空間又はその隣接部に温風発生装置を置いても良い。
【００１４】
更に、温風発生装置の熱源は、電気ヒーター、温水ヒーター、蒸気ヒーター、ガスヒーター、石油ヒーター、ヒートポンプなど、種類を限定するものではないし、本実施例では、送風機を温風発生装置の後ろに置いているが、その前後関係を限定するものでもない。
【００１５】
本発明の請求項１記載のポイントは、以上のように、浴室暖房や浴室乾燥時には、下側吹出口４５１から浴槽裏面空間に温風を吹き込み、衣類乾燥時には、上側吹出口４５２から、洗濯物に直接温風を吹き付けることにある。
【００１６】
これによって、浴室暖房・乾燥時には、最もじめじめし勝ちな浴槽裏面部や、これに連なる排水溝１５、グレーチング（排水溝蓋）１６などを乾燥することができるので、微生物などの繁殖や悪臭・異臭の防止に役立つともに、浴槽裏面空間から浴槽のエプロン１４の周囲（横・下）や、グレーチング（排水溝蓋）１６などを通して、低い位置かつ広い範囲から、間接的に浴室内（洗い場）に温風を吹き出すので、暖房や浴室乾燥の効率が良く、又、身体に触れ易い部分が火傷をするほど高温になることはなく、かつ、高温や大風速の温風が直接身体に当たることがないので、熱すぎたり寒すぎたりせず、更に、温度むらや風の当たり具合のむらも小さくできるため、安全かつ快適に使用できる。また、衣類乾燥時には、洗濯物に直接温風を吹き付けるため、衣類乾燥の効率を向上させることができる。
【００１７】
第２図乃至第４図は本発明の請求項１乃至４に係る温風及び換気風の流れを示す説明図である。
図中４１は温風発生装置、４２は送風機、４３はダクト、４４は切替ダクト、４５は吹出吸込口である。
【００１８】
まず、運転開始直後の空気の流れは、第２図のようになる。すなわち、第二送風機４２２の力によって、下側吹出吸込口４５１から吸い込まれた、浴槽裏面空間の空気は、下側ダクト４３２から、第一切替ダンパー４４１、中間ダクト４３４、第二切替ダンパー４４２、排気ダクト４３６を通じて、外気に放出される。この状態を適宜時間、例えば１分間継続して、浴槽裏面空間の悪臭や異臭を十分に排気した後に、第３図又は第４図に移行する。すなわち、第一切替ダンパー４４１及び第二切替ダンパー４４２が所定の位置に切り替わり、温風発生装置４１、第一送風機４２１が運転を開始し、第二送風機４２２は運転を停止する。
【００１９】
浴室暖房や浴室乾燥の場合が第３図であり、温風発生装置４１で発生した温風は、第一送風機４２１の力で、温風一次ダクト４３１、第一切替ダンパー４４１、下側ダクト４３２を通じて、下側吹出吸込口４５１から、浴槽裏面空間に吹き込まれる。と同時に、第一送風機４２１の力で、上側吹出吸込口４５２から吸い込まれた浴室内の空気は、上側ダクト４３３から、第一切替ダンパー４４１、中間ダクト４３４、第二切替ダンパー４４２、回収ダクト４３５を通じて、温風発生装置４１に回収・再利用される。
【００２０】
衣類乾燥の場合が第４図であり、温風発生装置４１で発生した温風は、第一送風機４２１の力で、温風一次ダクト４３１、第一切替ダンパー４４１、上側ダクト４３３を通じて、上側吹出吸込口４５２から、浴槽上面空間、さらに詳しくは、浴槽上に吊るされた洗濯物に向けて吹き出される。と同時に、第一送風機４２１の力で、下側吹出吸込口４５１から吸い込まれた浴室内の空気は、下側ダクト４３２から、第一切替ダンパー４４１、中間ダクト４３４、第二切替ダンパー４４２、回収ダクト４３５を通じて、温風発生装置４１に回収・再利用される。
【００２１】
なお、浴室暖房や浴室乾燥の場合も、衣類乾燥の場合も、室内の温湿度や乾燥状態などの状況に応じて、第二送風機４２２も同時運転し、第二切替ダンパー４４２を調節すれば、外気放出のみとするも、温風発生装置４１への回収と外気への放出を同時に、適宜割合で行うも、自由である。この場合、温風発生装置４１は、適宜量の外気が供給される構造とする必要がある。
【００２２】
又、温風発生装置４１、第一送風機４２１、第二送風機４２２、第一切替ダンパー４４１、第二切替ダンパー４４２などの位置や形状は、説明のための一例であって、これらに限定するものではない。
【００２３】
さらに、第二送風機４２２、第二切替ダンパー４４２を温風発生装置４１に内蔵するも任意で、内蔵したものが本発明の請求項５記載に係る。
【００２４】
本発明の請求項２記載のポイントは、浴室暖房・乾燥装置を運転する際に、まず、浴槽裏面空間の空気を排出して、悪臭や異臭を浴室内に拡散させないことにある。つまり、請求項１記載の発明により、この部分の悪臭や異臭はほとんど防止できるが、より完全を期すものである。
【００２５】
本発明の請求項１、３、４のポイントは、吹出吸込口やダクトを、温風供給用と排気用に兼用したり、温風発生装置に換気機能を持たせるなど、部材の兼用化、多機能化によって、省スペース、省施工、コスト低減を図るものである。
【００２６】
【発明の効果】
この発明は、以上のように構成されているので、以下に記載されているような効果を奏する。
【００２７】
請求項１記載の発明によれば、第１に、浴室暖房や浴室乾燥時には、下側吹出口４５１から浴槽裏面空間に温風を吹き込むので、最もじめじめし勝ちな浴槽裏面部や、これに連なる排水溝やグレーチングなどを乾燥することができ、細菌・かび・その他の微生物などの繁殖や、これに伴う悪臭や異臭の防止ができる。
【００２８】
第２に、浴槽裏面空間に吹き込まれた温風は、浴槽のエプロン周囲（横・下）や、グレーチング（排水溝蓋）などを通して、低い位置から浴室内（洗い場）に吹き出すので、暖かい空気は冷たい空気よりも軽いという性質によって、暖房や浴室乾燥の効率が良い。
【００２９】
第３に、浴槽裏面空間に吹き込まれた温風は、浴槽のエプロン周囲（横・下）や、グレーチング（排水溝蓋）などを通して、広い範囲から、間接的に浴室内（洗い場）に吹き出すため、身体に触れ易い部分が火傷をするほど高温になることはなく、かつ、高温や大風速の温風が直接身体に当たることがないので、熱すぎたり寒すぎたりせず、更に、温度むらや風の当たり具合のむらも小さくできるため、安全かつ快適に使用できる。
【００３０】
第４に、衣類乾燥時は、浴槽の上横壁面、あるいは浴槽リム上面から温風を吹き出すため、洗濯物に直接温風を吹き付けるられるので、衣類乾燥の効率を向上できる。
【００３１】
請求項２記載の発明によれば、浴室暖房・乾燥装置を運転する際に、まず、浴槽裏面空間の空気を排出することにしたので、悪臭や異臭を浴室内に拡散させないため、快適に使用できる。
【００３２】
請求項１記載の発明によれば、吹出吸込口を温風供給用と排気用に兼用し、請求項３記載の発明によれば、ダクトを温風供給用と排気用に兼用し、請求項４記載の発明によれば、温風発生装置に換気機能を持たせたので、いずれも、省スペース、省施工、コスト低減が図れる。
【００３３】
又、請求項１記載の発明では、衣類乾燥の際には、浴槽裏面空間から浴室内空気を吸い込むため、浴槽裏側空間に強力な空気の流れが発生し、浴室暖房や浴室乾燥の場合、つまり温風を吹き込む場合ほどではないものの、最もじめじめし勝ちな浴槽裏面部や、これに連なる排水溝やグレーチングなどをある程度乾燥することができるので、細菌・かび・その他の微生物などの繁殖や、これに伴う悪臭・異臭の防止ができる。
【００３４】
更に、請求項４記載の発明では、温風発生装置に換気機能を持たせているので、排気用の換気扇を別途設ける場合に比べて、室内の温湿度や乾燥状態などの状況に応じて、温風発生機能と換気機能を最適に制御し易く、より効率的及び／又はより快適な運転が可能である。なお、送風機や切替ダンパーも併せて制御することにより、更に効率的及び／又は更に快適な運転が可能になる。
【図面の簡単な説明】
【図１】請求項１に関わる実施例の主要部縦断面図である。
【図２】請求項１乃至４の発明に係る説明用の図であり、詳しくは、運転開始直後の空気の流れを示す説明図である。
【図３】請求項１乃至４の発明に係る説明用の図であり、詳しくは、浴室暖房や浴室乾燥の場合の空気の流れを示す説明図である。
【図４】請求項１乃至４の発明に係る説明用の図であり、詳しくは、衣類乾燥の場合の空気の流れを示す説明図である。
【符号の説明】
１  …  浴室ユニット
１１  …  床パン
１２  …  壁パネル
１３  …  浴槽
１４  …  浴槽エプロン
１５  …  排水溝
１６  …  グレーチング（排水溝蓋）
２  …  建築外壁
２１  …  布基礎
２２  …  土台
２３  …  外壁仕上げ材
３  …  ボックス
４  …  温風装置
４１  …  温風発生装置
４２  …  送風機
４２１  …  第一送風機
４２２  …  第二送風機
４３  …  ダクト
４３１  …  温風一次ダクト
４３２  …  下側ダクト
４３３  …  上側ダクト
４３４  …  中間ダクト
４３５  …  回収ダクト
４３６  …  排気ダクト
４４  …  切替ダンパー
４４１  …  第一切替ダンパー
４４２  …  第二切替ダンパー
４５  …  吹出（吸込）口
４５１  …  下側吹出（吸込）口
４５２  …  上側吹出（吸込）口
【図１】
0003672002.tif 000002
【図２】
0003672002.tif 000003
【図３】
0003672002.tif 000004
【図４】
0003672002.tif 000005